(57)【要約】【課題】必要に応じて二次電池から照光手段に電力を供給することができるようにし、二次電池の能力が低下した場合には、省電力回路を介して照光手段に電力を供給するとともに二次電池に充電するようにして、照光手段が動作不能になることを確実に防止することができるようにする。【解決手段】所定の形態でキー１３の操作が行われると、上位装置から供給される電力によって点灯する照光手段１３’を有するキーボード装置であって、前記照光手段１３’に電力を供給することが可能な二次電池１６と、前記上位装置から供給される電力及び前記二次電池１６から供給される電力を制御して前記照光手段１３’に供給する電力制御手段とを有する。【選択図】          図１
2005062962.tif 000002
【特許請求の範囲】
【請求項１】
（ａ）所定の形態でキーの操作が行われると、上位装置から供給される電力によって点灯する照光手段を有するキーボード装置であって、
（ｂ）前記照光手段に電力を供給することが可能な二次電池と、
（ｃ）前記上位装置から供給される電力及び前記二次電池から供給される電力を制御して前記照光手段に供給する電力制御手段とを有することを特徴とするキーボード装置。
【請求項２】
前記電力制御手段は、同時に点灯すべき照光手段に供給する総電力量に応じて、前記二次電池から供給される電力を前記照光手段に供給するか否かを制御する請求項１に記載のキーボード装置。
【請求項３】
前記電力制御手段は、前記上位装置から供給される電流の電圧が所定値以上となるときには前記二次電池に充電し、前記電圧が所定値未満となるときには前記二次電池から供給される電力を前記照光手段に供給する請求項１に記載のキーボード装置。
【請求項４】
前記照光手段に電力を供給するための省電力回路を有し、前記電力制御手段は、前記二次電池の蓄電量が下限値となると、前記省電力回路を介して前記照光手段に電力を供給する請求項１に記載のキーボード装置。
【請求項５】
前記二次電池の蓄電量が下限値となると、前記上位装置にバッテリアラームが通報される請求項３に記載のキーボード装置。
【発明の詳細な説明】
【０００１】
【発明の属する技術分野】
本発明は、キーボード装置に関するものである。
【０００２】
【従来の技術】
従来、銀行、郵便局、信用金庫等の金融機関等で使用される業務用のコンピュータ端末においては、入力装置としてのキーボードに配設された押しボタン、タッチ枠等のキーがオペレータによって押し下げられたりタッチされたりすると、すなわち、操作されると、操作されたキーを識別するために、それぞれのキー内に配設された照光手段を点灯させるようになっている（例えば、特許文献１参照。）。
【０００３】
図２は従来のキーボード装置を示す図である。
【０００４】
図において、１０５は制御装置であり、事業所、企業、団体等で使用される業務用のコンピュータ端末の本体であり、ＣＰＵ、ＭＰＵ等の演算手段、半導体メモリ、磁気ディスク等の記憶手段、ＣＲＴ、液晶ディスプレイ等の表示装置、通信インターフェイス等を備える。そして、１０１は前記制御装置１０５の入力手段として機能するキーボードであり、複数のキー１０３を備える鍵（けん）盤部１０２を有する。前記キー１０３は、例えば、押しボタン、タッチ枠等であり、オペレータが押し下げたりタッチしたりすることによって操作する部材である。
なお、それぞれのキー１０３内にはＬＥＤ（Ｌｉｇｈｔ  Ｅｍｉｔｔｉｎｇ  Ｄｉｏｄｅ）ランプ等の照光手段１０３’が配設され、キー１０３が操作されると、該キー１０３内の照光手段１０３’が点灯し、操作されたキー１０３をオペレータが識別することができるようになっている。
【０００５】
また、１０６はキーボード１０１の本体部であり、コントロール部１０４を有する。該コントロール部１０４は、キーボード１０１のすべての動作を監視かつ制御し、例えば、どのキー１０３が操作されたかを認識し通信回線１０７を介して、制御装置１０５に送信する。なお、該制御装置１０５は図示されない電源装置を有し、該電源装置から、例えば、電圧が５〔Ｖ〕の直流電流を電源電力として、電源線１０８を介してキーボード１０１に供給する。前記直流電流は、前記コントロール部１０４に供給されるとともに、キー１０３内の照光手段１０３’に供給され、該照光手段１０３’を点灯させる。なお、前記電源線１０８は、通常、通信回線１０７とともに一本の接続ケーブル内に収納されている。
【０００６】
【特許文献１】
特開平５−１８９１１２号公報
【０００７】
【発明が解決しようとする課題】
しかしながら、前記キーボード装置においては、オペレータが操作したキー１０３の数が増加すると、点灯する照光手段１０３’の数が増加して鍵盤部１０２が消費する電力量が増加し、制御装置１０５の電源装置からキーボード１０１に供給される直流電流の電圧が降下して動作限界電圧以下となり、キーボード１０１が動作不能になってしまう。
【０００８】
もっとも、前記電源装置からキーボード１０１に供給される電源電力量を増加させることができれば、鍵盤部１０２が消費する電力量が増加しても、何ら問題が生じることはないが、前記電源装置からキーボード１０１に供給される電源電力量は接続ケーブルやインターフェイスの規格等によって規定されており、規定値以上に増加させることができないようになっている。そして、規格外の接続ケーブルやインターフェイスを使用すると、コストが高くなってしまう。
【０００９】
また、近年では、オペレータが使用する机の上の作業スペースを確保するために、机の上にはキーボード１０１と表示装置だけを載置し、制御装置１０５は机の下等の離れた場所に載置されるようになっている。この場合、制御装置１０５とキーボード１０１とを接続する接続ケーブルの長さが長くなるので電源線１０８が長くなり、該電源線１０８の抵抗による電圧降下が大きくなってしまう。そのため、キーボード１０１に供給される直流電流の電圧が更に降下してしまう。
【００１０】
本発明は、前記従来のキーボード装置の問題点を解決して、必要に応じて二次電池から照光手段に電力を供給することができるようにし、二次電池の能力が低下した場合には、省電力回路を介して照光手段に電力を供給するとともに二次電池に充電するようにして、照光手段が動作不能になることを確実に防止することができるキーボード装置を提供することを目的とする。
【００１１】
【課題を解決するための手段】
そのために、本発明のキーボード装置においては、所定の形態でキーの操作が行われると、上位装置から供給される電力によって点灯する照光手段を有するキーボード装置であって、前記照光手段に電力を供給することが可能な二次電池と、前記上位装置から供給される電力及び前記二次電池から供給される電力を制御して前記照光手段に供給する電力制御手段とを有する。
【００１２】
本発明の他のキーボード装置においては、さらに、前記電力制御手段は、同時に点灯すべき照光手段に供給する総電力量に応じて、前記二次電池から供給される電力を前記照光手段に供給するか否かを制御する。
【００１３】
本発明の更に他のキーボード装置においては、さらに、前記電力制御手段は、前記上位装置から供給される電流の電圧が所定値以上となるときには前記二次電池に充電し、前記電圧が所定値未満となるときには前記二次電池から供給される電力を前記照光手段に供給する。
【００１４】
本発明の更に他のキーボード装置においては、さらに、前記照光手段に電力を供給するための省電力回路を有し、前記電力制御手段は、前記二次電池の蓄電量が下限値となると、前記省電力回路を介して前記照光手段に電力を供給する。
【００１５】
本発明の更に他のキーボード装置においては、さらに、前記二次電池の蓄電量が下限値となると、前記上位装置にバッテリアラームが通報される。
【００１６】
【発明の実施の形態】
以下、本発明の実施の形態について図面を参照しながら詳細に説明する。
【００１７】
図１は本発明の実施の形態におけるキーボード装置の構成を示すブロック図である。
【００１８】
図において、２２は制御装置であり、ＣＰＵ、ＭＰＵ等の演算手段、半導体メモリ、磁気ディスク等の記憶手段、通信インターフェイス等を備えるコンピュータである。前記制御装置２２は、いかなる分野において使用される、いかなる種類のコンピュータであってもよいが、本実施の形態においては、銀行、郵便局、信用金庫等の金融機関において金融業務を行うための業務用のコンピュータ端末である場合について説明する。この場合、前記制御装置２２は、例えば、サーバ・クライアントシステムにおけるサーバやクライアントであってもよいし、独立して機能する情報処理装置であってもよい。
【００１９】
そして、１１は前記制御装置２２の入力手段として機能するキーボードであり、複数のキー１３を備える鍵盤部１２を有する。この場合、前記制御装置２２はキーボード１１の上位装置として機能する。そして、前記キー１３は、例えば、押しボタン、タッチ枠等であり、オペレータが押し下げたりタッチしたりすることによって操作する部材である。なお、それぞれのキー１３内にはＬＥＤランプ等の照光手段１３’が配設され、キー１３が操作されると該キー１３内の照光手段１３’が点灯し、キー１３の全体又は一部が内部から照光されて明るく光るようになる。すなわち、所定の形態でキー１３の操作が行われると、照光手段１３’が点灯するようになっている。そのため、操作されたキー１３をオペレータが識別することができるようになっている。これにより、例えば、それぞれのキー１３が金融業務を行うために必要な処理を選択するためのファンクションキーであった場合、オペレータはどのような処理を既に選択したかを容易に識別することができ、所定の金融業務を確実に行うことができる。
【００２０】
また、１８はキーボード１１の本体部であり、点灯キーカウント部１４、二次電池監視部１５、二次電池１６及びコントロール部１７を有する。前記点灯キーカウント部１４は、鍵盤部１２におけるキー１３の中で照光手段１３’が点灯しているキー１３の数をカウントする。また、前記二次電池１６は、バッテリ、キャパシタ等からなる蓄電手段であり、必要に応じて前記照光手段１３’に電力を供給する。そして、前記二次電池監視部１５は、例えば、前記二次電池１６の端子電圧を検出することによって、前記二次電池１６の蓄電状況（ＳＯＣ：Ｓｔａｔｅ  ｏｆ  Ｃｈａｒｇｅ）を監視する。さらに、前記コントロール部１７は、ＣＰＵ、ＭＰＵ等の演算手段を備え、キーボード１１のすべての動作を監視かつ制御し、制御装置２２とのインターフェイスを制御する。そして、例えば、どのキー１３が操作されたかを認識し通信回線２５を介して、制御装置２２に送信する。なお、前記点灯キーカウント部１４及び二次電池監視部１５は、コントロール部１７と一体的に構成されたものであってもよい。
【００２１】
そして、前記制御装置２２は、アプリケーション部２３及び電源装置２４を有する。前記アプリケーション部２３は、各種の処理を対応するそれぞれのアプリケーションソフトウェアに従って実行するものであり、電力制御手段として機能するようになっている。また、前記電源装置２４は、例えば、電圧が５〔Ｖ〕の直流電流を電源電力として、電源線２７を介してキーボード１１に供給する。前記直流電流は、前記コントロール部１７及び二次電池１６に供給されるとともに、キー１３内の照光手段１３’に供給され、該照光手段１３’を点灯させる。なお、前記電源線２７は、通常、通信回線２５とともに、制御装置２２とキーボード１１とを接続する一本の接続ケーブル内に収納されている。該接続ケーブルは、ＰＳ／２インターフェイス用のＰＳ／２ケーブルであってもよいし、ＵＳＢ（Ｕｎｉｖｅｒｓａｌ  Ｓｅｒｉａｌ  Ｂｕｓ）インターフェイス用のＵＳＢケーブルであってもよいし、ＩＥＥＥ１３９４インターフェイス用のケーブルであってもよい。この場合、電源線２７を介してキーボード１１に供給することができる電力量の最大値は、各種インターフェイスに適応するケーブルの規格等によって規定されている。
【００２２】
また、２１は表示装置であり、ＣＲＴ、液晶ディスプレイ、ＬＥＤディスプレイ、プラズマディスプレイ等の表示画面を備え、接続線２６を介して制御装置２２に接続されている。そして、前記表示装置２１は、例えば、前記制御装置２２のアプリケーション部２３を介して受信した二次電池１６の状況を表示画面に表示するようになっている。
【００２３】
次に、前記構成のキーボード１１の動作について説明する。まず、キーボード１１に供給される電流の電圧が動作限界電圧以上である場合の動作について説明する。
【００２４】
図３は本発明の実施の形態における各電流を定義するテーブルを示す図、図４は本発明の実施の形態におけるキーボード装置に供給される直流電流の電圧と照光手段が点灯しているキーの数との関係を示す図である。なお、図４において、横軸に照光手段が点灯しているキーの数を、縦軸にキーボード装置に供給される直流電流の電圧を採ってある。
【００２５】
まず、図３に示されるテーブルに含まれる各電流の定義について説明する。ここで、Ｉは、図１に示されるように、電源装置２４から電源線２７を介してキーボード１１に供給される電源電力としての電流である。また、ＩＣ  は、図１に示されるように、前記電流Ｉの中でコントロール部１７に供給される駆動電流としての電流である。なお、前記電流ＩＣ  は、常時、一定である。
【００２６】
続いて、ＩＬ  は、図１に示されるように、前記電流Ｉの中で鍵盤部１２に供給され照光手段１３’を点灯するための点灯電流としての電流である。なお、前記電流ＩＬ  は、後述されるように、鍵盤部１２内において照光手段１３’へ点灯電流を供給するための点灯用回路が通常回路３１である場合の点灯電流である。一方、ＩＫ  は、鍵盤部１２に供給され照光手段１３’を点灯するための点灯電流としての電流であるが、後述されるように、鍵盤部１２内において照光手段１３’へ点灯電流を供給するための点灯用回路が省電力回路３２に切り替えられた場合の点灯電流である。この場合、電流ＩＫ  の電流値は、電流ＩＬ  の電流値より小さい。
【００２７】
続いて、ＩＢＪは、図１に示されるように、前記電流Ｉの中で二次電池１６に供給され該二次電池１６を充電するための充電電流としての電流である。なお、前記電流ＩＢＪは、鍵盤部１２内において照光手段１３’へ点灯電流を供給するための点灯用回路が通常回路３１である場合の充電電流である。一方、ＩＢＪ’  は、前記電流Ｉの中で二次電池１６に供給され該二次電池１６を充電するための充電電流としての電流であるが、鍵盤部１２内において照光手段１３’へ点灯電流を供給するための点灯用回路が省電力回路３２に切り替えられた場合の充電電流である。また、ＩＢＨは、図１に示されるように、二次電池１６から鍵盤部１２に供給され照光手段１３’を点灯するための放電電流としての電流である。
【００２８】
なお、前記電流Ｉ、電流ＩＣ  、電流ＩＬ  、電流ＩＫ  、電流ＩＢＪ、電流ＩＢＪ’  及び電流ＩＢＨは、いずれも、直流電流である。
【００２９】
そして、金融機関においてオペレータが金融業務を行うために、キーボード１１を操作して入力を行う。ここで、キーボード１１のキー１３が金融業務を行うために必要な処理を選択するためのファンクションキーであるとすると、オペレータはキー１３を押し下げたりタッチしたりすることによって操作して、所望の処理を選択する。そして、コントロール部１７は、選択されて操作されたキー１３を判別し、該キー１３内の照光手段１３’に点灯電流ＩＬ  を供給して、前記照光手段１３’を点灯させる。これにより、オペレータはどのような処理を既に選択したかを容易に識別することができる。なお、複数の処理を選択する必要がある場合、オペレータは複数のキー１３を選択する。そのため、選択された処理の数が増加すると、点灯する照光手段１３’の数も増加する。
【００３０】
ここで、照光手段１３’が点灯しているキー１３の数、すなわち、点灯している照光手段１３’の数が増加すると、同時に点灯すべき照光手段１３’に供給する総電力量が増加するので、電源電力としての電流Ｉの電圧は、図４に示されるように低下する。なお、図４は、鍵盤部１２内において照光手段１３’へ点灯電流を供給するための点灯用回路が通常回路であり、電流ＩＢＪ及び電流ＩＢＨが零である場合における電流Ｉの電圧の変化を示している。そして、点灯している照光手段１３’の数が増加して限界点灯数になると、電流Ｉの電圧が低下して動作限界電圧となる。
【００３１】
前記コントロール部１７は、規定された電圧、例えば、５〔Ｖ〕の電流ＩＣ  が供給されることによって動作するように設計されているが、電流ＩＣ  の電圧が前記規定された電圧を含む所定範囲内であれば動作するようになっている。そして、該所定範囲の下限が前記動作限界電圧である。そのため、電流Ｉの電圧が前記動作限界電圧未満になると、電流ＩＣ  の電圧も、同様に、前記動作限界電圧未満になるので、前記コントロール部１７が動作しなくなってしまう。これにより、キーボード１１全体が動作不能となってしまう。
【００３２】
そこで、本実施の形態においては、電流Ｉの電圧が動作限界電圧未満になることを防止するようになっている。ここで、電圧が動作限界電圧のときの電流Ｉの電流値をＩＭＡＸ  とすると、Ｉ≦ＩＭＡＸ  とすればよいことが分かる。
【００３３】
次に、キーボード１１に供給される電流の電圧が動作限界電圧未満とならないようにする動作について説明する。
【００３４】
図５は本発明の実施の形態における照光手段へ点灯電流を供給するための通常回路を示す図、図６は本発明の実施の形態における照光手段へ点灯電流を供給するための省電力回路を示す図、図７は本発明の実施の形態における表示装置の表示画面の例を示す第１の図、図８は本発明の実施の形態における表示装置の表示画面の例を示す第２の図、図９は本発明の実施の形態におけるキーボード装置の動作を示すフローチャートである。
【００３５】
図５に示されるように、通常回路３１は鍵盤部１２内において照光手段１３’へ点灯電流を供給するための点灯用回路であり、通常の状態において、点灯電流としての電流ＩＬ  は前記通常回路３１を介してそれぞれの照光手段１３’へ供給される。そして、点灯している照光手段１３’の数が限界点灯数よりも少ない場合、制御装置２２のアプリケーション部２３の指令によって、前記点灯用回路として通常回路３１が選択されるようになっている。
【００３６】
なお、点灯している照光手段１３’の数は、本体部１８の点灯キーカウント部１４によってカウントされ、コントロール部１７及び通信回線２５を介して、制御装置２２のアプリケーション部２３に送信される。ここで、該アプリケーション部２３には、あらかじめ照光手段１３’一個当たりの消費電流の値が与えられている。これにより、前記アプリケーション部２３は、点灯キーカウント部１４によってカウントされた点灯している照光手段１３’の数に基づいて、鍵盤部１２の消費電流を算出することができる。そして、前記アプリケーション部２３は、鍵盤部１２の消費電流に基づいて、前記電流Ｉ、電流ＩＣ  、電流ＩＬ  、電流ＩＫ  、電流ＩＢＪ、電流ＩＢＪ’  及び電流ＩＢＨを切り替えるとともに、前記通常回路３１と省電力回路３２とを切り替えるようになっている。
【００３７】
前述されたように、オペレータによって選択された処理の数が増加すると、点灯する照光手段１３’の数も増加するので、電流ＩＬ  も増加する。ここで、点灯キーカウント部１４は鍵盤部１２におけるキー１３の中で照光手段１３’が点灯しているキー１３の数をカウントしている。そして、点灯している照光手段１３’の数を検出し、コントロール部１７及び通信回線２５を介して、制御装置２２のアプリケーション部２３に送信する。
【００３８】
しかし、該アプリケーション部２３は、点灯している照光手段１３’の数を受信し、該数が限界点灯数未満であり、前記電流ＩＬ  とコントロール部１７に供給される駆動電流としての電流ＩＣ  との合計がＩＭＡＸ  より小さい、すなわち、ＩＭＡＸ  ＞ＩＣ  ＋ＩＬ  であると判断する。この場合、電源装置２４から電源線２７を介してキーボード１１に供給される電源電力としての電流Ｉに余裕があるので、前記アプリケーション部２３は、二次電池１６に充電電流としての電流ＩＢＪを供給させる。すなわち、前記アプリケーション部２３は、ＩＢＪを有効にして、前記二次電池１６を充電させる。この場合、図３に示されるように、Ｉ＝ＩＣ  ＋ＩＬ  ＋ＩＢＪとなる。
【００３９】
ここで、点灯キーカウント部１４は鍵盤部１２におけるキー１３の中で照光手段１３’が点灯しているキー１３の数をカウントしている。そのため、オペレータによって選択された処理の数が更に増加して点灯している照光手段１３’の数が限界点灯数になると、前記点灯キーカウント部１４が点灯する照光手段１３’の数が限界点灯数になったことを検出し、コントロール部１７及び通信回線２５を介して、制御装置２２のアプリケーション部２３に送信する。
【００４０】
そして、該アプリケーション部２３は、点灯している照光手段１３’の数が限界点灯数になったことを受信すると、電流ＩＬ  と電流ＩＣ  との合計がＩＭＡＸ  以上になった、すなわち、ＩＭＡＸ  ＞ＩＣ  ＋ＩＬ  でなく、ＩＭＡＸ  ≦ＩＣ  ＋ＩＬ  になったものと判断する。この場合、前記アプリケーション部２３は、二次電池１６への電流ＩＢＪの供給を停止させ、二次電池１６から鍵盤部１２への放電電流としての電流ＩＢＨを照光手段１３’へ供給させる。すなわち、前記アプリケーション部２３は、ＩＢＨを有効にして、前記二次電池１６を放電させる。この場合、電流ＩＢＨは、前記電流ＩＬ  とともに、前記通常回路３１を介してそれぞれの照光手段１３’へ供給される。そして、前記電流ＩＢＨにより（ＩＣ  ＋ＩＬ  ）−ＩＭＡＸ  分の電流が補われる。
【００４１】
このように、電力制御手段としてのアプリケーション部２３は、同時に点灯すべき照光手段１３’に供給する総電力量に応じて、前記二次電池１６から供給される電力を前記照光手段１３’に供給するか否かを制御する。また、前記アプリケーション部２３は、上位装置としての制御装置２２から供給される電流の電圧が所定値、すなわち、動作限界電圧以上となるときには前記二次電池１６に充電し、前記電圧が所定値未満となるときには前記二次電池１６から供給される電力を前記照光手段１３’に供給するとも言える。
【００４２】
ここで、二次電池１６から鍵盤部１２への放電が続くと、前記二次電池１６の蓄電量が低下する。なお、前記二次電池１６の蓄電状況は、二次電池監視部１５によって監視されている。そして、前記二次電池１６の蓄電量が所定の下限値にまで低下すると、二次電池監視部１５は、前記二次電池１６の蓄電量が下限値にまで低下したことを検出し、コントロール部１７及び通信回線２５を介して、制御装置２２のアプリケーション部２３に送信する。なお、前記下限値は、二次電池１６からそれ以上放電させることのできない蓄電量であり、あらかじめ二次電池監視部１５又はアプリケーション部２３に入力されている。
【００４３】
そして、該アプリケーション部２３は、二次電池１６の蓄電量が下限値にまで低下したことを受信すると、バッテリアラームとしての警報を通報すべきであると判断する。そして、前記アプリケーション部２３は、表示装置２１の表示画面に前記二次電池１６の蓄電状況、すなわち、二次電池１６の蓄電量が下限値にまで低下したことを示す警報を表示させる。この場合、図７に示されるように、例えば、「バッテリアラームです！ランプが暗くなります！」等の警報を表示させるようになっている。これにより、オペレータは、二次電池１６の蓄電量が下限値にまで低下したこと、及び、その結果として照光手段１３’の照度が低下して暗くなることを認識することができる。そのため、オペレータは、照光手段１３’の照度が低下して暗くなっても、慌てたり不安に感じたりすることなく、金融業務を継続して行うことができる。
【００４４】
続いて、前記アプリケーション部２３は、鍵盤部１２内において照光手段１３’へ点灯電流を供給するための点灯用回路を通常回路３１から省電力回路３２に切り替える。なお、前記通常回路３１と省電力回路３２との切り替えは、例えば、鍵盤部１２に電流を供給する電源線の途中に図示されない切り替えスイッチを配設し、該切り替えスイッチを切り替えることによって行うことができる。
【００４５】
ここで、前記省電力回路３２は鍵盤部１２内において照光手段１３’へ点灯電流を供給するための点灯用回路であり、図６に示されるように、それぞれの照光手段１３’に対応して抵抗Ｒが配設されている。そして、点灯用回路が省電力回路３２に切り替えられた場合の点灯電流としての電流ＩＫ  が抵抗Ｒを介してそれぞれの照光手段１３’へ供給される。省電力回路３２は、抵抗Ｒを備えるため、全体の抵抗値が通常回路３１よりも高くなっているので、前記省電力回路３２に供給される点灯電流である電流ＩＫ  の電流値は、通常回路３１に供給される点灯電流である電流ＩＬ  の電流値より小さくなる。そのため、点灯用回路を通常回路３１から省電力回路３２に切り替えることによって、前記点灯用回路における消費電力、すなわち、照光手段１３’を点灯させるための電力を節約することが可能になる。なお、点灯用回路を通常回路３１から省電力回路３２に切り替えると、照光手段１３’を点灯させるための電流値が低下するので、照光手段１３’の照度が低下して暗くなってしまう。
【００４６】
また、点灯電流が電流ＩＬ  よりも電流値が小さな電流ＩＫ  となったことによって、該電流ＩＫ  とコントロール部１７に供給される駆動電流としての電流ＩＣ  との合計がＩＭＡＸ  より小さくなる、すなわち、ＩＭＡＸ  ＞ＩＣ  ＋ＩＫ  となる。そのため、電源装置２４から電源線２７を介してキーボード１１に供給される電源電力としての電流Ｉに余裕が生じるので、アプリケーション部２３は、二次電池１６に充電電流としての電流ＩＢＪ’  を供給させる。すなわち、前記アプリケーション部２３は、ＩＢＪ’  を有効にして、前記二次電池１６を充電させる。これにより、前記二次電池１６が充電され、該二次電池１６の蓄電量が上昇する。
【００４７】
続いて、前記二次電池１６の蓄電量が所定の上限値にまで上昇すると、二次電池監視部１５は、前記二次電池１６の蓄電量が上限値にまで上昇したことを検出し、コントロール部１７及び通信回線２５を介して、制御装置２２のアプリケーション部２３に送信する。なお、前記上限値は、二次電池１６にそれ以上充電する必要のない蓄電量であり、あらかじめ二次電池監視部１５又はアプリケーション部２３に入力されている。
【００４８】
そして、該アプリケーション部２３は、二次電池１６の蓄電量が上限値にまで上昇したことを受信すると、前記二次電池１６の充電が完了したと判断する。そのため、前記アプリケーション部２３は、表示装置２１の表示画面に前記二次電池１６の復旧通知、すなわち、二次電池１６の蓄電量が上限値にまで上昇したことを表示させる。この場合、図８に示されるように、例えば、「バッテリが復旧しました！ランプが明るくなります！」等の復旧通知を表示させるようになっている。これにより、オペレータは、二次電池１６の蓄電量が上限値にまで上昇したこと、及び、その結果として照光手段１３’の照度が上昇して明るくなることを認識することができる。そのため、オペレータは、照光手段１３’の照度が上昇して明るくなっても、慌てたり不安に感じたりすることなく、金融業務を継続して行うことができる。
【００４９】
続いて、前記アプリケーション部２３は、鍵盤部１２内において照光手段１３’へ点灯電流を供給するための点灯用回路を省電力回路３２から通常回路３１に切り替える。これにより、照光手段１３’を点灯させるための電流値が上昇するので、照光手段１３’の照度が上昇して明るくなる。
【００５０】
なお、オペレータは、前記バッテリアラーム及び復旧通知を表示装置２１の表示画面に表示させるか否かの設定を行うことができる。すなわち、バッテリアラーム及び復旧通知を有効又は無効に設定することができる。
【００５１】
次に、フローチャートについて説明する。
ステップＳ１  オペレータの操作によって照光手段１３’点灯数が増加する。
ステップＳ２  アプリケーション部２３はＩＭＡＸ  ＞ＩＣ  ＋ＩＬ  であるか否かを判断する。ＩＭＡＸ  ＞ＩＣ  ＋ＩＬ  である場合はステップＳ４に進み、ＩＭＡＸ  ＞ＩＣ  ＋ＩＬ  でない場合はステップＳ３に進む。
ステップＳ３  アプリケーション部２３は、ＩＢＨを有効にして、二次電池１６を放電させる。
ステップＳ４  アプリケーション部２３は、ＩＢＪを有効にして、二次電池１６を充電させる。
ステップＳ５  アプリケーション部２３は、バッテリアラームを通報すべきであるか否かを判断する。通報する場合はステップＳ６に進み、通報しない場合はステップＳ２に戻る。
ステップＳ６  アプリケーション部２３は、表示装置２１にバッテリアラームを表示させて通報する。
ステップＳ７  アプリケーション部２３は、点灯用回路を通常回路３１から省電力回路３２に切り替える。
ステップＳ８  アプリケーション部２３は、ＩＢＪ’  を有効にして、二次電池１６を充電させる。
ステップＳ９  アプリケーション部２３は、二次電池１６の充電が完了したか否かを判断する。充電が完了した場合はステップＳ１０に進み、充電が完了していない場合はステップＳ８に戻る。
ステップＳ１０  アプリケーション部２３は、表示装置２１に復旧通知を表示させる。
ステップＳ１１  アプリケーション部２３は、点灯用回路を省電力回路３２から通常回路３１に切り替える。
【００５２】
このように、本実施の形態においては、オペレータがキーボード１１のキー１３を操作することによって点灯している照光手段１３’の数が増加した場合でも、制御装置２２のアプリケーション部２３は、点灯している照光手段１３’の数を把握し、該数が限界点灯数になると、二次電池１６からの放電電流を照光手段１３’へ供給させる。また、前記アプリケーション部２３は、二次電池１６の蓄電量が下限値にまで低下すると、点灯用回路を通常回路３１から省電力回路３２に切り替え、二次電池１６を充電させる。
【００５３】
これにより、キーボード１１が動作不能になることを確実に防止することができる。そのため、制御装置２２とキーボード１１とを接続する接続ケーブルを長くすることができるので、制御装置２２をキーボード１１から離れた任意の位置に載置することできる。したがって、オペレータが使用する机の上に制御装置２２を載置する必要がないので、前記机の上の作業スペースを広く取ることができる。
【００５４】
また、二次電池１６の蓄電量が下限値にまで低下した場合でも、充電器等を使用して充電を行う必要がないため、業務を効率化することができる。
【００５５】
なお、本発明は前記実施の形態に限定されるものではなく、本発明の趣旨に基づいて種々変形させることが可能であり、それらを本発明の範囲から排除するものではない。
【００５６】
【発明の効果】
以上詳細に説明したように、本発明によれば、必要に応じて二次電池から照光手段に電力を供給することができ、キーボード装置が動作不能になることを確実に防止することができる。
【図面の簡単な説明】
【図１】本発明の実施の形態におけるキーボード装置の構成を示すブロック図である。
【図２】従来のキーボード装置を示す図である。
【図３】本発明の実施の形態における各電流を定義するテーブルを示す図である。
【図４】本発明の実施の形態におけるキーボード装置に供給される直流電流の電圧と照光手段が点灯しているキーの数との関係を示す図である。
【図５】本発明の実施の形態における照光手段へ点灯電流を供給するための通常回路を示す図である。
【図６】本発明の実施の形態における照光手段へ点灯電流を供給するための省電力回路を示す図である。
【図７】本発明の実施の形態における表示装置の表示画面の例を示す第１の図である。
【図８】本発明の実施の形態における表示装置の表示画面の例を示す第２の図である。
【図９】本発明の実施の形態におけるキーボード装置の動作を示すフローチャートである。
【符号の説明】
１３    キー
１３’    照光手段
１６    二次電池
２２    制御装置
２３    アプリケーション部
２４    電源装置
３２    省電力回路
【図１】
2005062962.tif 000003
【図２】
2005062962.tif 000004
【図３】
2005062962.tif 000005
【図４】
2005062962.tif 000006
【図５】
2005062962.tif 000007
【図６】
2005062962.tif 000008
【図７】
2005062962.tif 000009
【図８】
2005062962.tif 000010
【図９】
2005062962.tif 000011